(57)【要約】【課題】情報通信機器の筐体を共通化することができる情報処理装置を提供する。【解決手段】３Ｇモジュール２７−１に、ＵＳ  ＡＮＴ３０をメインに接続し、ＥＵ  ＡＮＴ３１をサブに接続する形態と、３Ｇモジュール２７−２に、ＥＵ  ＡＮＴ３１をメインに接続し、ＵＳ  ＡＮＴ３０をサブに接続する形態とを選択可能とする。【選択図】      図３
2008160423.tif 000002
【特許請求の範囲】
【請求項１】
無線通信可能な情報処理装置であって、
第１の受信周波数帯を送受信可能な第１のアンテナ部と、
第２の受信周波数帯を送受信可能な第２のアンテナ部と、
送受信可能な主アンテナ接続部と受信専用の副アンテナ接続部とを備えた無線モジュール部とを備え、
前記無線モジュール部は、前記第１のアンテナ部を前記主アンテナ接続部に接続し、前記第２のアンテナ部を前記副アンテナ接続部に接続する第１形態と、前記第１のアンテナ部を前記副アンテナ接続部に接続し、前記第２のアンテナ部を前記主アンテナ接続部に接続する第２形態との２形態を当該無線モジュール部の適合に合わせて選択可能であることを特徴とする情報処理装置。
【請求項２】
請求項１に記載の情報処理装置において、
前記第１形態および第２形態は、当該情報処理装置の使用される地域に応じて選択可能であることを特徴とする情報処理装置。
【請求項３】
請求項１に記載の情報処理装置において、
前記無線モジュール部は、当該情報処理装置の使用される地域に応じて異なるものであり、前記無線モジュール部の適合に合わせて、前記第１形態および第２形態を選択可能であることを特徴とする情報処理装置。
【請求項４】
請求項１に記載の情報処理装置において、
前記無線モジュール部の主アンテナ接続部は、送受信用のアンテナ接続部であり、前記副アンテナ接続部は、受信専用のアンテナ接続部であることを特徴とする情報処理装置。
【請求項５】
請求項１に記載の情報処理装置において、
前記第１のアンテナ及び第２のアンテナは、電波の受信時においては、それぞれダイバーシティ方式で機能するものであり、受信感度の良いアンテナに切り替わって電波の受信を行うことを特徴とする情報処理装置。
【請求項６】
請求項５に記載の情報処理装置において、
前記第１の受信周波数帯と前記第２の受信周波数帯とは周波数帯が重なっており、前記第１のアンテナ部と第２のアンテナ部とは、仕様および特性が異なっていることを特徴とする情報処理装置。
【発明の詳細な説明】
【技術分野】
【０００１】
本発明は、無線通信を行うパーソナルコンピュータのような情報処理装置に関する。
【背景技術】
【０００２】
近年、無線ＬＡＮや３Ｇモジュールを用いた無線通信機能を備えたパーソナルコンピュータが多数、開発されてきている。３Ｇモジュールを用いた無線通信機能においては、例えば、特許文献１に開示されているように、２つの同一機能のアンテナを配設し、その空間ダイバーシティ技術によってフェージング現象の影響を抑制し、送受信機能を高めるための一般的な方法が開示されている（特許文献１参照）。
【特許文献１】実開平５−３１３８６号公報
【発明の開示】
【発明が解決しようとする課題】
【０００３】
しかし、特許文献１の技術では、仕向地（例えば、ＵＳ向け、ＥＵ向け）別に、それぞれ専用の２つの同一機能のアンテナを搭載する必要があり、パーソナルコンピュータの筐体が共通化できないという問題がある。
【０００４】
本発明は上述の事情を考慮してなされたものであり、情報通信機器の筐体を共通化することができる情報処理装置を提供することを目的とする。
【課題を解決するための手段】
【０００５】
上記目的を達成するために、本発明の一態様によれば、無線通信可能な情報処理装置であって、第１の受信周波数帯を送受信可能な第１のアンテナ部と、第２の受信周波数帯を送受信可能な第２のアンテナ部と、送受信可能な主アンテナ接続部と受信専用の副アンテナ接続部とを備えた無線モジュール部とを備え、前記無線モジュール部は、前記第１のアンテナ部を前記主アンテナ接続部に接続し、前記第２のアンテナ部を前記副アンテナ接続部に接続する第１形態と、前記第１のアンテナ部を前記副アンテナ接続部に接続し、前記第２のアンテナ部を前記主アンテナ接続部に接続する第２形態との２形態を当該無線モジュール部の適合に合わせて選択可能であることを特徴とする情報処理装置が提供される。
【発明の効果】
【０００６】
本発明によれば、仕向地別に複数のアンテナを搭載した情報通信機器の筐体を共通化することができる。
【発明を実施するための最良の形態】
【０００７】
以下、図面を参照して本発明の実施形態を説明する。  
図１には、本発明の一実施形態に係る情報処理装置の斜視図が示されている。この情報処理装置は、バッテリ駆動可能なノートブック型コンピュータ１０として実現されている。
【０００８】
図１に示すように、コンピュータ１０の本体側は薄い箱形の筐体を有しており、その上面には、キーボード（ＫＢ）１３、パームレスト上にはタッチパッド１４、および左右２つのボタン、パワーボタン２４、スピーカ等が配置されている。また、蓋部５０には、アンテナ３０、３１が内蔵されている。これらのアンテナは、仕向地別に２種類のアンテナとなっており、例えば、ＵＳ（アメリカ）用３０、ＥＵ（ヨーロッパ）用３１である。これらのアンテナは、仕向地の周波数を受信できるように最適化されている。アンテナ３０、３１は、コンピュータ１０の本体に内蔵された３Ｇモジュール２７に接続されている。なお、３Ｇモジュール２７においても仕向地用に、ＵＳ用、ＥＵ用等があり、使用地によって選択する。
【０００９】
図２は、コンピュータ１０の構成を示したブロック図である。
【００１０】
このパーソナルコンピュータ１０は、図示のように、ＣＰＵ（Central Processing Unit）１１、ノースブリッジ１２、主メモリ３８、グラフィクスコントローラ１７、表示装置（ＬＣＤ）１５、サウスブリッジ１６、ハードディスクドライブ（ＨＤＤ）２０、ＢＩＯＳ−ＲＯＭ２１、エンベデッドコントローラ／キーボードコントローラＩＣ（ＥＣ／ＫＢＣ）２２、および電源コントローラ（ＰＳＣ）２３、キーボード（ＫＢ）１３、タッチパッド１４などを備えている。
【００１１】
ノースブリッジ１２、グラフィクスコントローラ１７、サウスブリッジ１６の各々は、PCI EXPRESS規格に準拠したデバイス（コンポーネント）である。ノースブリッジ１２とグラフィクスコントローラ１７との間の通信は、ノースブリッジ１２とグラフィクスコントローラ１７との間に配設されたPCI EXPRESSリンク２１を介して実行される。
【００１２】
ＣＰＵ１１は本コンピュータの動作を制御するプロセッサであり、ＨＤＤ２０から主メモリ３８にロードされる各種プログラム（オペレーティングシステム、各種アプリケーションプログラム、画像編集ソフトウェア等）を実行する。また、ＣＰＵ１１は、ＢＩＯＳ−ＲＯＭ２１に格納されたＢＩＯＳ（Basic Input Output System）も実行する。ＢＩＯＳはハードウェアを制御するためのプログラムである。また、ＢＩＯＳは、PCI Express 規格で規定されたActive State Power Management （ASPM）機能の実行を本コンピュータの動作モードに応じて動的に許可または禁止するためのＳＭＩ（System Management Interrupt）ルーチンを有している。
【００１３】
ノースブリッジ１２はＣＰＵ１１のローカルバスとサウスブリッジ１６との間を接続するブリッジデバイスである。ノースブリッジ１２には、主メモリ３８をアクセス制御するメモリコントローラも内蔵されている。また、ノースブリッジ１２は、PCI EXPRESSリンク２１を介してグラフィクスコントローラ１７との通信を実行する機能も有している。
【００１４】
グラフィクスコントローラ１７は本コンピュータのディスプレイモニタとして使用されるＬＣＤ１５を制御する表示コントローラである。
【００１５】
エンベデッドコントローラ／キーボードコントローラＩＣ（ＥＣ／ＫＢＣ）２２は、電力管理のためのエンベデッドコントローラと、キーボード（ＫＢ）１３およびタッチパッド１４を制御するためのキーボードコントローラとが集積された１チップマイクロコンピュータである。このエンベデッドコントローラ／キーボードコントローラＩＣ（ＥＣ／ＫＢＣ）２２は、ユーザによるパワーボタン２４の操作に応じて、電源コントローラ（ＰＳＣ）２３と共同して、本コンピュータ１０をパワーオン／パワーオフする機能を有している。また、ＥＣ／ＫＢＣ２２は、３Ｇモジュール２７に接続され、３Ｇモジュール２７の制御を行っている。３Ｇモジュール２７には、２つの指向地向けのアンテナ３０，３１が接続されている。アンテナ３０，３１は、例えば、ＵＳ（アメリカ）用の周波数に対応したアンテナ、ＥＵ（ヨーロッパ）用の周波数に対応したアンテナである。
【００１６】
図３は、３Ｇモジュールとアンテナとの接続構成を示した模式図である。
【００１７】
３Ｇモジュール２７は、上述したアンテナ３０，３１と同様に、使用地に応じて異なるモジュールを使用する。例えば、ＵＳ（アメリカ）用の周波数に対応した３Ｇモジュール２７−１、ＥＵ（ヨーロッパ）用の周波数に対応した３Ｇモジュール２７−２である。
【００１８】
図３に示すように、例えば、ＵＳ向けのパーソナルコンピュータには、ＵＳ向け３Ｇモジュール２７−１を搭載する。また、ＥＵ向けのパーソナルコンピュータには、ＥＵ向け３Ｇモジュール２７−２を搭載する。しかし、蓋部５０（図１参照）に搭載されたアンテナ３０，３１は、共通のものを使用する。すなわち、ＵＳ向けアンテナ（ＵＳ  ＡＮＴ）３０、およびＥＵ向けアンテナ（ＥＵ  ＡＮＴ）３１である。なお、各３Ｇモジュール２７−１，２７−２は、アンテナを接続する端子として、メインとサブの２つを備えており、メインの端子は送受信が可能であり、サブの端子は受信専用の端子である。さらに、ＵＳ向けアンテナ３０とＥＵ向けアンテナ３１とは、周波数が重なっている。正確には、アンテナ同士は、特性、仕様等が異なっている。このため、受信時においては、これらの２つのアンテナを用いてダイバーシティ方式として用いることができる。なお、送受信の制御は、ＵＳ向け３Ｇモジュール２７−１の制御部２７−１ａ、およびＥＵ向け３Ｇモジュール２７−２の制御部２７−２ａが行うものとする。
【００１９】
このように、共通のアンテナ３０，３１を使用するものであるが、各３Ｇモジュール２７−１，２７−２に接続する接続方法が異なる。ＵＳ向け３Ｇモジュール（無線モジュール部）２７−１のメインのアンテナ接続端子（主アンテナ接続部）には、ＵＳ向けアンテナ（第１のアンテナ部）３０を接続し、ＥＵ向け３Ｇモジュール２７−２のサブのアンテナ接続端子（副アンテナ接続部）には、ＥＵ向けアンテナ（第２のアンテナ部）３１を接続する。
【００２０】
このような構成にすることにより、ＵＳ向け３Ｇモジュール２７−１は、アメリカで使用する際に、メインの端子にＵＳ向けアンテナ３０が接続されていることにより、最適な周波数で送受信を行うことができ、受信時においては、ダイバーシティ方式により、最適なアンテナを選択し、受信感度を向上させることができる。また、ＥＵ向け３Ｇモジュール２７−２は、ヨーロッパで使用する際に、メインの端子にＥＵ向けアンテナ３１が接続されていることにより、最適な周波数で送受信を行うことができ、受信時においては、ダイバーシティ方式により、最適なアンテナを選択し、受信感度を向上させることができる。すなわち、無線通信の感度をほぼ損なわずに、コンピュータ１０の本体に内蔵する３Ｇモジュールを指向地用に載せ替えるだけで、アンテナ３０，３１を内蔵した蓋部５０（図１参照）は指向地に係わらず共通化することができる。
【００２１】
以上、本実施形態によれば、筐体をアンテナに合わせて複数準備する必要がなくなり、無線通信を行う情報通信機器のアンテナを内蔵した筐体を共通化することができる。
【００２２】
なお、本発明は、上記実施形態そのままに限定されるものではなく、実施段階ではその要旨を逸脱しない範囲で構成要素を変形して具体化できる。また、上記実施形態に開示されている複数の構成要素の適宜な組み合せにより種々の発明を形成できる。例えば、実施形態に示される全構成要素から幾つかの構成要素を削除してもよい。更に、異なる実施形態に亘る構成要素を適宜組み合せてもよい。
【図面の簡単な説明】
【００２３】
【図１】本発明の一実施形態に係る情報処理装置を示した斜視図。
【図２】本発明の一実施形態に係る情報処理装置のシステム構成を示すブロック図。
【図３】３Ｇモジュールとアンテナとの接続構成を示した模式図。
【符号の説明】
【００２４】
１１…ＣＰＵ、１７…グラフィクスコントローラ、１６…サウスブリッジ、２０…ハードディスク、２２…ＥＣ／ＫＢＣ、２７…３Ｇモジュール、３０，３１…アンテナ
【図１】
2008160423.tif 000003
【図２】
2008160423.tif 000004
【図３】
2008160423.tif 000005